(57)【要約】【課題】  ネットワーク接続されたカメラを選択し、表示エリアを指定して映像を表示させる際の操作性を向上させたモニター装置及びその制御プログラムを提供する。【解決手段】  ネットワーク接続されたカメラ１０に対応するオブジェクトをモニター画面上に表示するオブジェクト表示部１０３と、移動操作及びクリック操作を検出するためのマウス３３と、移動操作に基づいてモニター画面上のマウスポインタを移動させるポインタ制御部１０５と、クリック操作に基づいてオブジェクトを選択するオブジェクト選択部１０６ａと、オブジェクト選択部１０６ａによって選択されたオブジェクト及びマウスポインタを結ぶ結合線を表示する結合線表示部１０７ａと、オブジェクトが選択された後のクリック操作に基づいて、モニター画面上の表示エリアを選択し、選択されたオブジェクトに対応するカメラ１０と関連付けするカメラ割付部１０６ｂにより構成される。【選択図】  図２
2010178007.tif 000002
【特許請求の範囲】
【請求項１】
ネットワーク接続された２以上のカメラにそれぞれ対応するオブジェクトをモニター画面上に表示するオブジェクト表示手段と、
移動操作及びクリック操作を検出するためのポインティング入力手段と、
上記移動操作に基づいて、上記モニター画面上のポインタを移動させるポインタ制御手段と、
上記クリック操作に基づいて上記オブジェクトを選択するオブジェクト選択手段と、
上記オブジェクト選択手段によって選択されたオブジェクト及び上記ポインタを結ぶ結合線を表示する結合線表示手段と、
上記オブジェクトが選択された後のクリック操作に基づいて、上記モニター画面上の２以上の表示エリアのいずれかを選択し、選択されたオブジェクトに対応するカメラと関連付けするカメラ割付手段として機能させるための制御プログラム。
【請求項２】
上記結合線表示手段は、上記オブジェクトが選択された後の上記クリック操作に基づいて、上記結合線を消すことを特徴とする請求項１に記載の制御プログラム。
【請求項３】
上記オブジェクトの選択結果に基づいて、上記カメラに対して映像の送信を指示する送信要求手段と、
上記表示エリアの選択結果に基づいて、関連付けされたカメラからの映像を上記表示エリア内に表示するカメラ映像表示手段としてさらに機能させるための請求項１に記載の制御プログラム。
【請求項４】
上記オブジェクト選択手段は、上記オブジェクトが選択された後にクリック操作された際、上記ポインタが上記表示エリア外に位置していれば、上記オブジェクトの選択状態を解除することを特徴とする請求項１に記載の制御プログラム。
【請求項５】
ネットワーク接続された２以上のカメラにそれぞれ対応するオブジェクトをモニター画面上に表示するオブジェクト表示手段と、
移動操作及びクリック操作を検出するためのポインティング入力手段と、
上記移動操作に基づいて、上記モニター画面上のポインタを移動させるポインタ制御手段と、
上記クリック操作に基づいて上記オブジェクトを選択するオブジェクト選択手段と、
上記オブジェクト選択手段によって選択されたオブジェクト及び上記ポインタを結ぶ結合線を表示する結合線表示手段と、
上記オブジェクトが選択された後のクリック操作に基づいて、上記モニター画面上の２以上の表示エリアのいずれかを選択し、選択されたオブジェクトに対応するカメラと関連付けするカメラ割付手段とを備えたことを特徴とするモニター装置。
【発明の詳細な説明】
【技術分野】
【０００１】
本発明は、制御プログラム及びモニター装置に係り、さらに詳しくは、ＬＡＮなどのネットワークに接続された複数のカメラによって撮影された映像をモニター画面上に表示するモニター装置及びその制御プログラムの改良に関する。
【背景技術】
【０００２】
ＬＡＮなどのネットワークに接続された複数のカメラによって撮影された映像をモニター画面上に同時に表示させる監視システムが従来から知られている。ネットワーク上のカメラ、いわゆるネットワークカメラからの映像信号は、ＰＣ（パーソナルコンピュータ）やビューアと呼ばれるモニター装置で受信し、動画像として表示される。この様なモニター装置では、ネットワーク接続された複数のカメラのうち、所望のカメラを選択して映像の送信を指示し、当該カメラからの受信映像をモニター画面内の所定の表示エリアに表示させる動作が行われる。
【０００３】
例えば、特許文献１には、映像を表示させたいカメラをオペレータに画面上で選択させ、さらに、表示エリアを指定させることによって、所望の映像を表示させる技術が開示されている。この特許文献１に記載の装置では、ネットワーク上のカメラに対応する画面内のアイコンを所望の表示エリアにドラッグアンドドロップ操作することにより、カメラとのネットワーク接続が指示され、所望の映像が表示される。ドラッグアンドドロップ操作は、マウスのクリックボタンを押し込んだ状態を維持しながらマウスを移動させるドラッグ操作と、その後、所望の位置でクリックボタンを開放するドロップ操作とからなる一連の操作である。この様なモニター装置では、クリック操作によってカメラを選択した後、当該カメラの映像を表示させる表示エリアをドロップ操作によって選択するまでの間、クリックボタンを押し続けなければならないので、操作性が良くないという問題があった。また、画面内に表示されるマウスポインタは、マウスを移動させれば、カメラに対応付けてアイコンが表示されていた位置から移動するので、ドラッグ操作中、いずれのカメラが選択されているのかが識別しづらいという問題もあった。
【先行技術文献】
【特許文献】
【０００４】
【特許文献１】特開２００７−５３５６８号公報
【発明の概要】
【発明が解決しようとする課題】
【０００５】
本発明は、上記事情に鑑みてなされたものであり、ネットワークに接続されたカメラを選択し、モニター画面内の表示エリアを指定して映像を表示させる際の操作性を向上させたモニター装置及びその制御プログラムを提供することを目的とする。特に、ネットワーク接続された複数のカメラにそれぞれ対応するオブジェクトを選択してから、モニター画面内の表示エリアを指定してカメラによって撮影された映像を表示させる際の操作性を向上させることができるモニター装置を提供することを目的とする。また、オブジェクトを選択してから表示エリアを指定するまでの間、いずれのカメラが選択中であるのかを識別し易くしたモニター装置を提供することを目的とする。
【課題を解決するための手段】
【０００６】
第１の本発明による制御プログラムは、ネットワーク接続された２以上のカメラにそれぞれ対応するオブジェクトをモニター画面上に表示するオブジェクト表示手段と、移動操作及びクリック操作を検出するためのポインティング入力手段と、上記移動操作に基づいて、上記モニター画面上のポインタを移動させるポインタ制御手段と、上記クリック操作に基づいて上記オブジェクトを選択するオブジェクト選択手段と、上記オブジェクト選択手段によって選択されたオブジェクト及び上記ポインタを結ぶ結合線を表示する結合線表示手段と、上記オブジェクトが選択された後のクリック操作に基づいて、上記モニター画面上の２以上の表示エリアのいずれかを選択し、選択されたオブジェクトに対応するカメラと関連付けするカメラ割付手段として機能させるためのプログラムである。
【０００７】
この制御プログラムでは、クリック操作に基づいてネットワーク上のカメラに対応するオブジェクトを選択し、オブジェクトを選択した後のクリック操作に基づいて表示エリアを選択して、選択されたオブジェクトに対応するカメラとの関連付けが行われる。この様な構成によれば、オブジェクトを選択してから表示エリアを選択するまでの間、クリックボタンなどを押し続ける必要がないので、ドラッグアンドドロップ操作によって同様の動作を行わせるものに比べて、操作性を向上させることができる。また、クリック操作によって選択されたオブジェクトとモニター画面上のポインタとを結ぶ結合線が表示されるので、オブジェクトを選択してから表示エリアを選択するまでの間、いずれのカメラが選択中であるのかを識別し易くすることができる。
【０００８】
第２の本発明による制御プログラムは、上記構成に加え、上記結合線表示手段が、上記オブジェクトが選択された後の上記クリック操作に基づいて、上記結合線を消すように構成される。この様な構成によれば、オブジェクトを選択した後のクリック操作に基づいて、表示エリアが選択されて結合線が消されるので、表示エリアの選択動作が実行されたことを容易に認識することができる。
【０００９】
第３の本発明による制御プログラムは、上記構成に加え、上記オブジェクトの選択結果に基づいて、上記カメラに対して映像の送信を指示する送信要求手段と、上記表示エリアの選択結果に基づいて、関連付けされたカメラからの映像を上記表示エリア内に表示するカメラ映像表示手段としてさらに機能させる。この様な構成によれば、クリック操作に基づいて、オブジェクトの選択動作が実行され、カメラに対して映像の送信が指示されるので、ドラッグアンドドロップ操作によってカメラとのネットワーク接続を指示するものに比べて、表示エリアを選択してからカメラによって撮影された映像が表示エリア内に表示されるまでの時間を短縮することができる。
【００１０】
第４の本発明による制御プログラムは、上記構成に加え、上記オブジェクト選択手段が、上記オブジェクトが選択された後にクリック操作された際、上記ポインタが上記表示エリア外に位置していれば、上記オブジェクトの選択状態を解除するように構成される。この様な構成によれば、オブジェクトを選択した後にクリック操作した際、ポインタが表示エリア外に位置していれば、オブジェクトの選択状態が解除されるので、表示エリア外でクリック操作することによって、カメラの選択をキャンセルすることができる。
【００１１】
第５の本発明によるモニター装置は、ネットワーク接続された２以上のカメラにそれぞれ対応するオブジェクトをモニター画面上に表示するオブジェクト表示手段と、移動操作及びクリック操作を検出するためのポインティング入力手段と、上記移動操作に基づいて、上記モニター画面上のポインタを移動させるポインタ制御手段と、上記クリック操作に基づいて上記オブジェクトを選択するオブジェクト選択手段と、上記オブジェクト選択手段によって選択されたオブジェクト及び上記ポインタを結ぶ結合線を表示する結合線表示手段と、上記オブジェクトが選択された後のクリック操作に基づいて、上記モニター画面上の２以上の表示エリアのいずれかを選択し、選択されたオブジェクトに対応するカメラと関連付けするカメラ割付手段とを備えて構成される。
【発明の効果】
【００１２】
本発明によるモニター装置及びその制御プログラムによれば、オブジェクトを選択してから表示エリアを選択するまでの間、クリックボタンなどを押し続ける必要がないので、ドラッグアンドドロップ操作によって同様の動作を行わせるものに比べて、操作性を向上させることができる。従って、ネットワークに接続された複数のカメラにそれぞれ対応するオブジェクトを選択し、モニター画面内の表示エリアを指定してカメラによって撮影された映像を表示させる際の操作性を向上させることができる。また、クリック操作によって選択されたオブジェクトとモニター画面上のポインタとを結ぶ結合線が表示されるので、オブジェクトを選択してから表示エリアを選択するまでの間、いずれのカメラが選択中であるのかを識別し易くすることができる。
【図面の簡単な説明】
【００１３】
【図１】本発明の実施の形態によるモニター装置を含む監視システムの概略構成の一例を示したシステム図である。
【図２】図１の監視システム１００の要部における構成例を示したブロック図であり、ＰＣ３０内の機能構成の一例が示されている。
【図３】図２のＰＣ３０におけるカメラ映像の表示時の動作の一例を示した図であり、カメラ１０からのライブ映像を表示するモニター画面１１０が示されている。
【図４】図２のＰＣ３０におけるカメラ映像の表示時の動作の一例を示した図であり、カメラ１０及び表示エリア１１１を選択する際の様子が示されている。
【図５】図２のＰＣ３０におけるカメラ映像の表示時の動作の一例を示した図であり、表示エリア１１１の選択後の様子が示されている。
【図６】図２のＰＣ３０におけるカメラ映像の表示時の動作の一例を示した図であり、画面表示を１画面による拡大表示に切り替えた場合の様子が示されている。
【図７】図２のＰＣ３０におけるカメラ映像の表示時の動作の一例を示したフローチャートである。
【発明を実施するための形態】
【００１４】
＜監視システム＞
図１は、本発明の実施の形態によるモニター装置を含む監視システムの概略構成の一例を示したシステム図である。この監視システム１００は、ＬＡＮ２０に接続された複数のカメラ１０と、ＰＣ３０と、レシーバ装置４１及びディスプレイ装置４２からなるビューア４０によって構成される。
【００１５】
ＬＡＮ（ローカルエリアネットワーク）２０は、カメラ１０と、ＰＣ３０やビューア４０などのモニター装置と、録画装置などとの間で制御信号や映像信号を伝送する通信ネットワークである。カメラ１０は、ＬＡＮ２０上の接続可能な撮像装置であり、監視エリア内の被写体を撮影した映像を送信する機能を備えている。
【００１６】
レシーバ装置４１は、ＬＡＮ２０を介してカメラ１０からの映像信号を受信し、受信データをデコードしてディスプレイ装置４２へ出力する受信装置である。
【００１７】
ＰＣ（パーソナルコンピュータ）３０は、ディスプレイ３１、キーボード３２及びマウス３３を有する情報処理端末であり、ＬＡＮ２０を介してカメラ１０からの映像信号を受信してディスプレイ３１のモニター画面上に表示し、或いは、必要に応じて録画する機能を備えている。
【００１８】
マウス３３は、映像を表示させたいカメラ１０を選択し、或いは、モニター画面内の表示エリアを指定する際に用いられるポインティング入力手段である。マウス３３では、マウス３３を平面に沿って移動させる２次元の移動操作と、クリックボタンを押し込んで開放するクリック操作とが検出され、検出信号がＰＣ本体部へ出力される。
【００１９】
上記ポインティング入力手段としては、２次元の移動操作とクリック操作とが検出できるものであればマウス３３以外のものであっても良く、例えば、パッド面に対する指などの接触を感知して移動操作及びクリック操作を検出するタッチパッドを用いるものも本発明には含まれる。タッチパッドをポインティング入力手段として用いる場合、パッド面上で指をスライドさせることにより移動操作が検出され、パッド面を軽く叩く（タップする）ことによりクリック操作が検出される。
【００２０】
或いは、画面上の位置を指示するためのペン型の入力装置と、操作位置を検出するための板状の検出装置とを組み合わせて使うペンタブレットを上記ポインティング入力手段として用いても良い。
【００２１】
＜モニター装置＞
図２は、図１の監視システム１００の要部における構成例を示したブロック図であり、ＰＣ３０内の機能構成の一例が示されている。このＰＣ３０は、ディスプレイ３１及びマウス３３の他に、ＰＣ本体部として、ネットワークＩ／Ｆ１０１、カメラ管理部１０２、オブジェクト表示部１０３、カメラ接続情報記憶部１０４、ポインタ制御部１０５ａ、ポインタ表示部１０５ｂ、モニター画面制御部１０６、結合線表示部１０７ａ、送信要求部１０７ｂ、カメラ割付情報記憶部１０８及びカメラ映像表示部１０９を備えて構成される。
【００２２】
ネットワークＩ／Ｆ１０１は、ＬＡＮ２０に接続し、ＬＡＮ２０上のカメラ１０へ制御信号を送信し、或いは、カメラ１０からの映像信号を受信する通信制御手段である。受信した画像データは、カメラ映像表示部１０９へ出力される。
【００２３】
カメラ管理部１０２は、ＬＡＮ２０上のデバイスをスキャンし、ネットワーク接続されたカメラ１０のうち、映像の送信可能なカメラを識別してその識別情報や撮影情報などをカメラ接続情報として管理する動作を行っている。
【００２４】
カメラ接続情報記憶部１０４には、カメラ接続情報として、映像の送信可能なカメラ１０の識別情報や撮影情報などが保持される。
【００２５】
オブジェクト表示部１０３は、カメラ管理部１０２によるスキャン結果に基づいて、映像の送信可能な複数のカメラ１０にそれぞれ対応するオブジェクトをディスプレイ３１のモニター画面上に表示する動作を行っている。
【００２６】
上記オブジェクトは、ＬＡＮ２０上のカメラ１０に対応付けて表示される表示オブジェクトであり、例えば、カメラなどの図形によって表されたアイコン、所定の文字列や記号が用いられる。
【００２７】
ポインタ表示部１０５ｂは、モニター画面上にマウスポインタを表示する動作を行っている。マウスポインタは、モニター画面内の位置を示すためのアイコンであり、マウス３３の移動量に応じて移動する。
【００２８】
ポインタ制御部１０５ａは、マウス３３からの移動操作の検出信号に基づいてポインタ表示部１０５ｂを制御し、モニター画面上のマウスポインタをマウス３３の移動量に応じて移動させる動作を行っている。
【００２９】
モニター画面制御部１０６は、オブジェクト選択部１０６ａ及びカメラ割付部１０６ｂからなり、マウス３３からの検出信号及びマウスポインタの位置情報に基づいて、モニター画面の表示制御を行っている。
【００３０】
オブジェクト選択部１０６ａは、オペレータによるクリック操作に基づいてオブジェクトを選択する動作を行っている。具体的には、マウス３３からの検出信号に基づいてオペレータによるクリック操作を検知し、当該クリック操作時にマウスポインタが位置するいずれかのオブジェクトを選択する動作が行われる。
【００３１】
結合線表示部１０７ａは、いずれのカメラ１０が選択中であるのかを識別し易くするために、オブジェクト選択部１０６ａによって選択されたオブジェクトとマウスポインタとを結ぶ結合線を表示する動作を行っている。
【００３２】
選択状態のオブジェクトは、非選択状態のオブジェクトとは異なる表示態様でフォーカス表示され、例えば、反転表示され、当該オブジェクトに対応するカメラ１０が表示対象として指定される。
【００３３】
カメラ割付部１０６ｂは、オブジェクトが選択された後のクリック操作に基づいて、モニター画面上の複数の表示エリアのいずれかを選択し、選択状態のオブジェクトに対応するカメラと関連付けしてカメラ割付情報を生成する動作を行っている。具体的には、マウス３３からの検出信号に基づいて、オブジェクトが選択された後に行われたクリック操作を検知し、当該クリック操作時にマウスポインタが位置するいずれかの表示エリアを選択する動作が行われる。
【００３４】
カメラ割付情報記憶部１０８には、カメラ割付部１０６ｂによって生成されたカメラ割付情報が保持される。カメラ映像表示部１０９は、カメラ割付情報記憶部１０８内のカメラ割付情報に基づいてディスプレイ３１を制御し、選択状態のオブジェクトに対応するカメラ１０によって撮影された映像を表示エリア内に表示する動作を行っている。例えば、カメラ１０からのライブ映像が動画像として表示される。
【００３５】
送信要求部１０７ｂは、表示エリアの選択動作が実行されてからカメラ１０によって撮影された映像が実際に表示されるまでの時間を短縮させるために、オブジェクトの選択結果に基づいて、カメラ１０に対して映像の送信を指示する動作を行っている。具体的には、オブジェクト選択部１０６ａによってオブジェクトの選択動作が実行された際に、ネットワークＩ／Ｆ１０１を介して送信要求信号がカメラ１０へ送出される。
【００３６】
カメラ映像表示部１０９では、表示エリアの選択結果に基づいて、関連付けされたカメラ１０からの映像を表示エリア内に表示する動作が行われる。具体的には、カメラ割付部１０６ｂが表示エリアを選択してカメラ１０と関連付けした際に、選択された表示エリアに関連付けされたカメラ１０からの映像を当該表示エリア内に表示する動作が行われる。
【００３７】
これにより、再度のクリック操作が行われるよりも前に、最初のクリック操作で選択されたオブジェクトに対応するカメラ１０に対して映像の送信を指示することができるので、表示エリアを選択してからカメラ映像が表示エリア内に表示されるまでの時間を短縮させることができる。
【００３８】
結合線表示部１０７ａでは、表示エリアの選択動作が実行されたことをオペレータに認識させるために、オブジェクトを選択した後のクリック操作に基づいて、モニター画面内の結合線を消す動作が行われる。
【００３９】
さらに、オブジェクト選択部１０６ｂでは、オブジェクトが選択された後にクリック操作された際、マウスポインタが表示エリア外に位置している場合に、オブジェクトの選択状態を解除する動作が行われる。
【００４０】
また、送信要求部１０７ｂでは、オブジェクトの選択状態が解除された際に、カメラに対して映像送信の中止が指示される。これにより、オブジェクトを選択した後にクリック操作した際、マウスポインタが表示エリア外に位置していれば、オブジェクトの選択状態が解除されるので、表示エリア外でクリック操作することによって、カメラ１０の選択をキャンセルすることができる。
【００４１】
＜モニター画面＞
図３は、図２のＰＣ３０におけるカメラ映像の表示時の動作の一例を示した図であり、ＬＡＮ２０上のカメラ１０によって撮影されたライブ映像を表示するモニター画面１１０が示されている。このモニター画面１１０は、ＬＡＮ２０上の複数のカメラ１０によって撮影された映像を同時に表示するための監視画面である。
【００４２】
モニター画面１１０には、ライブ映像を表示するための４つの表示エリア１１１と、拡大表示又は４分割表示を指定するための入力ボックス１１３，１１４とが配置され、ＬＡＮ２０上の接続可能なカメラ１０に対応する５つのオブジェクト１１５と、所定の設定グループを表すオブジェクト１１６と、マウスポインタ１１７とが表示されている。
【００４３】
表示エリア１１１は、矩形形状の領域を２行２列に配列された４つのブロックに等分割することによって構成されている。この例では、各表示エリア１１１が破線で表された矩形の枠によって示され、左上の表示エリアがデフォルトで選択されている。選択状態の表示エリアは、実線で表された矩形枠１１２によってフォーカス表示される。
【００４４】
入力ボックス１１３は、１画面による拡大表示を指定するための入力欄であり、チェックマークを入力することによって、フォーカス表示中の表示エリア内のライブ映像を拡大表示させることができる。
【００４５】
入力ボックス１１４は、４画面による４分割表示を指定するための入力欄である。これらの入力ボックス１１３，１１４は、マウスポインタ１１７を移動させてクリック操作することによって、いずれかを選択することができる。この例では、４分割表示が選択されている。
【００４６】
各オブジェクト１１５は、ＬＡＮ２０上に存在するカメラ１０であって、映像の送信可能なカメラ１０に対応付けて表示され、オブジェクト「ネットワークカメラ」の下位の階層としてツリー状に配置されている。ここでは、ＬＡＮ２０上の５台のカメラ１０と接続可能となっており、これらのカメラ１０に対応付けてオブジェクト１１５が配列されている。
【００４７】
このＰＣ３０では、所望のオブジェクト１１５を選択して表示エリア１１１を指定すれば、当該オブジェクトに対応するカメラによって撮影された映像が表示され、ＬＡＮ２０上の複数のカメラ１０の映像をモニター画面１１０上に同時に表示させることができる。
【００４８】
オブジェクト１１６は、どのカメラ１０をどこの表示エリア１１１に表示させるかというエリア割当てを予め指定しておくことにより、複数のカメラ１０の映像を一括して表示させる場合に選択させるオブジェクトである。この例では、オブジェクト「設定グループ」の下位の階層として、４つのオブジェクト「Ｖｉｅｗ１」〜「Ｖｉｅｗ４」が配置されている。
【００４９】
オブジェクト「Ｖｉｅｗ１」は、左上の表示エリア１１１に対応付けられており、「Ｖｉｅｗ２」は、右上の表示エリアに対応付けられている。また、「Ｖｉｅｗ３」は、左下の表示エリアに対応付けられており、「Ｖｉｅｗ４」は、右下の表示エリアに対応付けられている。各Ｖｉｅｗには、ＬＡＮ２０上のカメラ１０を任意に割り当てることができ、カメラ１０が割り当てられているＶｉｅｗには、カメラ１０の識別情報、例えば、カメラ名が表示される。
【００５０】
マウスポインタ１１７は、マウス３３の移動操作に応じてモニター画面１１０内を移動するアイコンである。この例では、矢印によってマウスポインタ１１７が表されている。
【００５１】
オブジェクト１１５は、マウスポインタ１１７が位置している状態で、マウス３３のクリックボタンを操作、すなわち、クリック操作することによって選択することができる。クリック操作によっていずれかのオブジェクト１１５が選択された場合、選択中のオブジェクト１１５は、フォーカス表示され、オブジェクト「ネットワークカメラ」からの分枝線が破線表示から実線表示に切り替えられる。
【００５２】
表示エリア１１１は、マウスポインタ１１７がエリア内に位置している状態でクリック操作することによって選択することができ、オブジェクト１１５を選択してから表示エリア１１１を選択することによって、ＬＡＮ２０上のカメラ１０と表示エリア１１１とを関連付けすることができる。
【００５３】
図４（ａ）及び（ｂ）は、図２のＰＣ３０におけるカメラ映像の表示時の動作の一例を示した図であり、図４（ａ）には、ＬＡＮ２０上のカメラ１０を選択する際の様子が示され、図４（ｂ）には、表示エリア１１１を選択する際の様子が示されている。
【００５４】
オブジェクト１１５は、マウスポインタ１１７が位置している状態でクリック操作することによって選択することができる。また、選択中のオブジェクト１１５は、フォーカス表示され、オブジェクト「ネットワークカメラ」からの分枝線が破線表示から実線表示に切り替えられるとともに、選択中のオブジェクト１１５とマウスポインタ１１７とを結ぶ結合線１２０が表示される。
【００５５】
結合線１２０は、どのオブジェクト１１５が選択され、選択中のオブジェクトに対応するカメラ１０の映像をどこに表示させようとしているのかをオペレータに案内するための表示オブジェクトである。この例では、破線、すなわち、不連続な直線によって結合線１２０が表され、オブジェクト「カメラ２」とマウスポインタ１１７とが結合線１２０によって紐付けられている。
【００５６】
選択中のオブジェクト１１５及びマウスポインタ１１７を結ぶ結合線１２０としては、破線以外に、実線、すなわち、連続する線で表すものや、曲線によって表すものであっても良い。表示エリア１１１は、マウスポインタ１１７がエリア内に位置している状態でクリック操作することによって選択することができる。
【００５７】
図５は、図２のＰＣ３０におけるカメラ映像の表示時の動作の一例を示した図であり、表示エリア１１１の選択後の様子が示されている。オブジェクト１１５が選択されてから行われたクリック操作によっていずれかの表示エリア１１１が選択された場合、選択されたオブジェクト１１５に対応するカメラ１０と選択された表示エリア１１１とが関連付けされ、当該カメラによって撮影されたライブ映像が当該表示エリア内に表示される。
【００５８】
この例では、オブジェクト「カメラ２」の表示エリアとして右下の表示エリア１１１が選択され、「カメラ２」の撮影映像が表示される。図５では、「カメラ２」がコンビニエンスストア内に設置されている場合に、店内の映像が表示される例を示している。
【００５９】
選択中のオブジェクト１１５及びマウスポインタ１１７を結ぶ結合線１２０は、クリック操作によって表示エリア１１１が選択されれば、非表示となる。
【００６０】
また、オブジェクト１１５の選択状態は、エスケープキーを操作するか、或いは、マウスポインタ１１７が表示エリア１１１外に位置している場合にクリック操作することによって解除され、カメラ１０の選択をキャンセルするようにしても良い。その際、選択中のオブジェクト１１５とは異なるオブジェクト１１５をクリック操作すれば、表示対象とするカメラ１０を変更するようにしても良い。
【００６１】
図６は、図２のＰＣ３０におけるカメラ映像の表示時の動作の一例を示した図であり、画面表示を１画面による拡大表示に切り替えた場合の様子が示されている。入力ボックス１１４にチェックマークを入力して１画面による拡大表示を選択すれば、モニター画面１１０の表示モードが４分割表示モードから拡大表示モードに切り替えられる。
【００６２】
この拡大表示モードでは、実線で表された矩形枠１２１によって示された領域内に選択中のカメラ１０からのライブ映像が拡大表示される。
【００６３】
図７のステップＳ１０１〜Ｓ１１１は、図２のＰＣ３０におけるカメラ映像の表示時の動作の一例を示したフローチャートである。まず、オブジェクト選択部１０６ａは、マウス３３からの検出信号に基づいてオペレータによるクリック操作を検知すると、当該クリック操作に基づいてオブジェクト１１５を選択する（ステップＳ１０１，Ｓ１０２）。
【００６４】
このとき、選択されたオブジェクト１１５に対応するカメラ１０に対して映像の送信が指示され、送信要求がネットワークＩ／Ｆ１０１により送信されるとともに、選択中のオブジェクト１１５及びマウスポインタ１１７を結ぶ結合線１２０がモニター画面１１０内に表示される（ステップＳ１０３，Ｓ１０４）。
【００６５】
次に、ポインタ制御部１０５ａは、マウス３３からの検出信号に基づいてオペレータによる移動操作を検知すると、当該移動操作に基づいてマウスポインタ１１７をモニター画面１１０内で移動させる（ステップＳ１０５，Ｓ１０６）。
【００６６】
次に、カメラ割付部１０６ｂは、マウス３３からの検出信号に基づいて再度のクリック操作を検知すると（ステップＳ１０７）、当該クリック操作に基づいて表示エリア１１１を選択し、選択中のオブジェクト１１５に対応するカメラ１０によって撮影されたライブ映像を表示する（ステップＳ１０８〜Ｓ１１０）。
【００６７】
結合線表示部１０７ａは、オブジェクト１１５の選択後、表示エリア１１１が選択されれば、結合線１２０を消す。また、オブジェクト選択部１０６ａは、オブジェクト１１５の選択後、マウスポインタ１１７が表示エリア１１１外に位置している状態でクリック操作された場合に、オブジェクト１１５の選択状態を解除する（ステップＳ１０８，Ｓ１１１）。また、このとき、送信要求部１０７ｂは、オブジェクト１１５の選択状態が解除されれば、カメラ１０に対して映像送信の中止を指示する。
【００６８】
本実施の形態によれば、オブジェクト１１５を選択してから表示エリア１１１を選択するまでの間、クリックボタンなどを押し続ける必要がないので、ドラッグアンドドロップ操作によって同様の動作を行わせるものに比べて、操作性を向上させることができる。また、クリック操作によって選択されたオブジェクト１１５とモニター画面１１０上に表示されるマウスポインタ１１７とを結ぶ結合線１２０が表示されるので、オブジェクト１１５を選択してから表示エリア１１１を選択するまでの間、いずれのカメラ１０が選択中であるのかを識別し易くすることができる。
【００６９】
また、オブジェクト１１５を選択した後のクリック操作に基づいて、表示エリア１１１が選択されて結合線１２０が消されるので、表示エリア１１１の選択動作が実行されたことを容易に認識することができる。
【００７０】
なお、本実施の形態では、クリック操作によってオブジェクト１１５の選択動作が実行されるとともに、選択中のオブジェクト１１５とマウスポインタ１１７とを結ぶ結合線１２０が表示される場合の例について説明したが、本発明はこれに限られるものではない。例えば、オブジェクト１１５の選択後に行われたクリック操作によって表示エリア１１１が選択された際に、クリック操作後の一定期間、結合線１２０を波打たせたり、表示態様をクリック操作前とは異ならせるようにしても良い。この様に構成すれば、表示エリア１１１の選択動作が実行されたのか、或いは、オブジェクトの選択状態が解除されたのかをオペレータに容易に視認させることができる。
【００７１】
また、本実施の形態では、１回目のクリック操作時にカメラ１０に対して映像の送信を指示する場合の例について説明したが、本発明はこれに限られるものではない。例えば、１回目のクリック操作時ではなく、２回目のクリック操作によって表示エリアが選択された際に、カメラ１０に対して映像の送信を指示するものも本発明には含まれる。すなわち、オブジェクトが選択された後のクリック操作に基づいて表示エリアが選択された際に、当該表示エリアの選択結果に基づいて、カメラ１０へ映像の送信要求信号を送出するものであっても良い。
【符号の説明】
【００７２】
１０  カメラ
２０  ＬＡＮ
３０  ＰＣ
３１  ディスプレイ
３２  キーボード
３３  マウス
４０  ビューア
４１  レシーバ装置
４２  ディスプレイ装置
１００  監視システム
１０１  ネットワークＩ／Ｆ
１０２  カメラ管理部
１０３  オブジェクト表示部
１０４  カメラ接続情報記憶部
１０５ａ  ポインタ制御部
１０５ｂ  ポインタ表示部
１０６  モニター画面制御部
１０６ａ  オブジェクト選択部
１０６ｂ  カメラ割付部
１０７ａ  結合線表示部
１０７ｂ  送信要求部
１０８  カメラ割付情報記憶部
１０９  カメラ映像表示部
１１０  モニター画面
１１１  表示エリア
１１５  オブジェクト
１１７  マウスポインタ
１２０  結合線
【図１】
2010178007.tif 000003
【図２】
2010178007.tif 000004
【図３】
2010178007.tif 000005
【図４】
2010178007.tif 000006
【図７】
2010178007.tif 000007
【図５】
2010178007.tif 000008
【図６】
2010178007.tif 000009